(57)【要約】【課題】計算機から認証デバイスが排出された後に、直ちにシャットダウン処理への移行を可能とし、操作性を向上させる。【解決手段】認証デバイス排出後の状態遷移決定プログラムにおいて、認証デバイス排出を検出する手順１と、計算機のロック中を示すとともに、ロック解除画面表示手順への移行を利用者が指示するためのボタンと、シャットダウン画面表示手順への移行を利用者が指示するために、あらかじめ定められた時間だけ表示されるボタンとの２つのボタンを含むロック画面を表示する手順２とを計算機に実行させる。【選択図】      図１
2005004389.tif 000002
【特許請求の範囲】
【請求項１】
計算機における状態遷移を決定するプログラムにおいて、
認証デバイスの排出を検出する手順と、
該排出後に、計算機がロック中であることを示すと共に、ロック解除画面表示手順への移行の指示を受け取るためのボタンと、シャットダウン画面表示手順への移行の指示を受け取るために、あらかじめ定められた時間だけ表示されるボタンとの２つのボタンを含むロック画面を表示する手順とを計算機に実行させるための状態遷移決定プログラム。
【請求項２】
前記シャットダウン画面表示手順において、前記ロック画面表示手順への戻りの指示を受け取るためのキャンセルボタンを表示し、
該キャンセルボタンが押し下げられた時、該ロック画面表示手順において、前記あらかじめ定められた時間が経過していない時には前記２つのボタンを含むロック画面を、すでに経過している時には前記ロック解除画面移行指示ボタンを含み、前記シャットダウン画面移行指示ボタンを含まないロック画面を表示することを特徴とする請求項１記載の状態遷移決定プログラム。
【請求項３】
前記ロック解除画面表示手順において、利用者の正当性をチェックするための利用者照合画面を表示し、
該利用者照合画面に対応して利用者によって挿入された前記認証デバイスの認証情報が、該認証デバイスの前記排出の前の挿入時に該認証デバイスから読み出されて記憶され、前記計算機の利用者の照合を行なう認証サーバによって認証されていた認証情報と一致するとき、ロックの解除を行なう手順をさらに計算機に実行させることを特徴とする請求項１記載の状態遷移決定プログラム。
【請求項４】
前記認証デバイス挿入時の認証情報の認証サーバによる認証後に、
前記認証サーバから、他のサーバに対するログオン認証を行なうためのログオン情報を受け取り、該ログオン情報を該ログオン認証を行なうドメインコントローラに送ってログオン認証を受ける手順をさらに計算機に実行させることを特徴とする請求項３記載の状態遷移決定プログラム。
【請求項５】
前記認証デバイスがＩＣカードであることを特徴とする請求項１記載の状態遷移決定プログラム。
【請求項６】
計算機における状態遷移を決定するプログラムを格納する記憶媒体において、
認証デバイスの排出を検出するステップと、
該排出後に、計算機がロック中であることを示すと共に、ロック解除画面表示ステップへの移行の指示を受け取るためのボタンと、シャットダウン画面表示ステップへの移行の指示を受け取るために、あらかじめ定められた時間だけ表示されるボタンとの２つのボタンを含むロック画面を表示するステップとを計算機に実行させるためのプログラムを格納した計算機読出し可能可搬型記憶媒体。
【請求項７】
前記シャットダウン画面表示ステップにおいて、前記ロック画面表示ステップへの戻りの指示を受け取るためのキャンセルボタンを表示し、該キャンセルボタンが押し下げられた時、該ロック画面表示ステップにおいて、前記あらかじめ定められた時間が経過していない時には前記２つのボタンを含むロック画面を、すでに経過している時には前記ロック解除画面移行指示ボタンを含み、前記シャットダウン画面移行指示ボタンを含まないロック画面を表示することを特徴とする請求項６記載の計算機読出し可能可搬型記憶媒体。
【発明の詳細な説明】
【０００１】
【発明の属する技術分野】
本発明は計算機や端末における認証方式に係わり、更に詳しくは、認識デバイスを計算機や端末からぬいた時に、計算機や端末のその後の状態遷移、例えばロック状態やシャットダウン可能状態などへの状態遷移を決定する状態遷移決定プログラム、およびそのプログラムを記憶する記憶媒体に関する。
【０００２】
【従来の技術と発明が解決しようとする課題】
計算機や端末を使用する場合には、一般に例えばその端末の正当なユーザであることを認証するために利用者照合処理が行なわれる。
【０００３】
この利用者照合処理においては、例えばユーザＩＤやパスワードを利用者に入力させ、ユーザ認証が行なわれるのが普通であるが、最近ではその代わりにＩＣカードを利用して、ＩＣカードを端末などに挿入することによって利用者照合処理が行なわれるようになっている。
【０００４】
そして例えば、利用者が一時的に計算機や端末の使用を中止したり、あるいは仕事をやめて帰宅するような場合には、計算機や端末をロック状態として、他の利用者が利用者照合処理を行なうことなしには、その計算機や端末を使用できない状態とするのが一般的である。
【０００５】
このように計算機や端末のロック状態への遷移は、例えばコントロールとオルト（オルタネート）、およびデリートのキーを同時に押したり、スクリーンセーバを起動したりすることによっても可能となるが、ＩＣカードを利用している場合にはそのＩＣカードを排出する、例えば端末（のカードリーダ）からぬくことによって、計算機や端末をロック状態とすることができる。
【０００６】
【非特許文献１】
ｈｔｔｐ：／／ｗｗｗ．ｓｙｓｔｅｍｎｅｅｄｓ．ｃｏ．ｊｐ／ｗｉｎｓａｆｅ／ｔｓｕｐｐｏｒｔ／ｅ−ｇａｔｅ．ｐｄｆ
次世代セキュリティシステム  ＷｉｎＳａｆｅ  ｆｏｒ  ＴＯＳＨＩＢＡ  Ｖｅｒ．３．１
【非特許文献２】
ｈｔｔｐ：／／ｗｗｗ．ｎｔｔｄａｔａ．ｃｏ．ｊｐ／ｓｅｒｖｉｃｅｓ／ｓｍａｒｔｂｉｏ／ｉｎｄｅｘ．ｈｔｍｌ
Ｓｍａｒｔ  ＢＩＯ  ＩＣカードとバイオメトリクスの融合によるセキュアな本人認証の実現
【非特許文献３】
ｈｔｔｐ：／／ｗｗｗ．ｍａｌｌｓｅｒｖｉｃｅ．ｃｏ．ｊｐ／ｐｒｏｄｕｃｔ／ｃｏｎｆｉｒｍ．ｈｔｍｌ
認証システム  Ｓｍａｒｔ  Ｌｏｇｏｎ  Ｓｙｓｔｅｍ
【０００７】
これらの文献には、ＩＣカードなどを利用したセキュリティシステム、ＩＣカードとバイオメトリクスの融合による認証方式、複数のＩＤ・パスワードを一括管理する認証システムが開示されており、例えばＷｉｎｄｏｗｓ（Ｒ）を終了させずに認証デバイスを抜くだけでパソコンをロックさせることができるものとされている。
【０００８】
しかしながら、例えば利用者が仕事をやめて帰宅しようとするような場合には、計算機をシャットダウン可能な状態とするために、計算機がロックしていることを示すロック画面を表示するだけでなく、シャットダウンを可能とするシャットダウン選択画面への移行ができることが望ましいが、従来においては、例えばＩＣカードを端末からぬいた場合には、計算機や端末がロック中であることを示すロック画面が表示されるだけであり、シャットダウン処理に移行するためには認証デバイスを排出するという操作とは関係しない操作を行うことによってシャットダウンを行っているため、認証デバイスを計算機や端末につけたまま帰宅してしまう等、セキュリティ上の問題があった。
【０００９】
本発明の課題は、上述の問題点に鑑み、例えば端末からＩＣカードをぬいた時に、単に計算機や端末がロック中であることを示すロック画面を表示するだけでなく、必要に応じて直ちにシャットダウン処理に移行することを可能とし、利用者の操作性を向上させる状態遷移決定プログラム、およびそのプログラムを記憶する記憶媒体を提供することである。
【００１０】
【課題を解決するための手段】
図１は本発明の状態遷移決定プログラムの原理的な機能ブロック図である。同図は、例えばＩＣカードなどの認証デバイスの計算機や端末から排出時における計算機や端末の状態、例えば画面表示状態の遷移を決定するプログラムの原理的な機能ブロック図である。
【００１１】
図１において、まず１で認証デバイスの排出を検出する手順が実行され、２でロック画面を表示する手順が実行される。このロック画面は、計算機がロック中であることを示すと共に、押し下げによりロック解除画面表示手順への移行を利用者が指示するためのボタンＲと、あらかじめ定められた時間以内、例えば１０秒間だけ表示され、押し下げによってシャットダウン画面表示手順への移行を利用者が指示するためのボタンＳとの２つのボタンを含むものである。
【００１２】
そして利用者が定められた時間、例えば１０秒以内にボタンＳを押し下げた時には、３でシャットダウン画面を表示する手順が実行され、これに対して利用者がボタンＲを押し下げた時には、４でロック解除画面を表示する手順が実行される。
【００１３】
発明の実施の形態においては、前述のシャットダウン画面表示手順において、押し下げにより前述のロック画面表示手順への戻りを利用者が指示するためのキャンセルボタンを表示し、そのキャンセルボタンが利用者によって押し下げられた時、ロック画面表示手順において、前述のあらかじめ定められた時間が経過していない時には前述の２つのボタンを含むロック画面を表示し、またすでに経過している時には、ロック解除画面移行指示ボタンを含み、シャットダウン画面移行指示ボタンを含まないロック画面を表示することもできる。
【００１４】
発明の実施の形態においては、前述の認証デバイスは例えばＩＣカードであることもできる。
次に本発明の記憶媒体は、計算機における認証デバイス排出時の状態遷移を決定するプログラムを格納する記憶媒体であり、認証デバイスの排出を検出するステップと、計算機がロック中であることを示すと共に、ロック解除画面表示手順への移行の指示を受け取るためのボタンと、あらかじめ定められた時間だけ表示され、シャットダウン画面表示手順への移行の指示を受け取るためのボタンとの、２つのボタンを含むロック画面を表示する手順とを計算機に実行させるプログラムを格納する計算機読出し可能可搬型記憶媒体である。
【００１５】
以上のように本発明によれば認証デバイスの排出後に、ロック画面上にシャットダウン画面表示手順への移行の指示を受け取るためのボタンがあらかじめ定められた時間だけ表示され、利用者がそのボタンを押し下げることによりシャットダウン処理への移行が可能となる。
【００１６】
【発明の実施の形態】
図２は本発明の状態遷移決定プログラムが用いられるシステムの全体構成図である。同図においてシステムは、クライアントのパソコン（ＰＣ）１０、クライアントＰＣ１０（のカードリーダ）に挿入されるＩＣカード１１、利用者照合処理を行なうための認証サーバ１２、例えば図示しない、他のサーバに対するログオン認証を行なうためのドメインコントローラ１３を備えている。
【００１７】
クライアントＰＣ１０は、オペレーティングシステム（ＯＳ）１０ａ、ブラウザ１０ｂ、およびＩＣカード／ログオン認証部１０ｂを備えている。そしてＩＣカード１１を用いる照合処理、ドメインコントローラ１３との間でのログオン認証処理は、ＩＣカード／ログオン認証部１０ｂによって行なわれる。また認証サーバ１２との間のデータ転送は、ＨＴＴＰプロトコルによって行なわれる。
【００１８】
認証サーバ１２は、ＯＳ１２ａ、ハードディスク（ＨＤ）などの記憶装置１２ｂ、および認証部１２ｃを備えており、クライアントＰＣ１０側との間でのログオン認証処理は認証部１２ｃによって行なわれる。
【００１９】
図３は、利用者によりパソコンが起動されてから、ログオン認証処理が行なわれるまでの、図２のシステムにおける処理の流れの説明図である。同図においてクライアントＰＣ１０が起動され、ＩＣカードが挿入され、ＩＣカードが活性化される。ＩＣカード活性化とは、通信のためのデバイスの立ち上げなどを意味する。
【００２０】
続いて利用者によりＩＣカードの暗証番号ＰＩＮが入力され、ＩＣカード１１を用いてその照合が行なわれると共に、ＩＣカード１１から、例えばカードＩＤが認証情報として読み出され、クライアントＰＣ１０にそのカードＩＤが保存される。
【００２１】
続いて認証サーバ１２との間で認証情報の照合が行なわれ、ドメインコントローラ１３に送信するためのログオン情報が受信され、そのログオン情報がドメインコントローラ１３に送られて、ログオン認証が行なわれる。
【００２２】
図４は本発明が対象とするＩＣカード排出後の画面ロック解除までの処理の流れの説明図である。同図においてクライアントＰＣ１０からＩＣカード１１がぬかれると、画面ロック状態となる。本発明が対象とする状態遷移方式は、この直後の、例えば画面遷移状態を決定するものであるが、その詳細は後述することとし、ここでは一般的なその後の画面ロック解除について説明する。
【００２３】
利用者が画面ロックを解除するために再びＩＣカードを挿入すると、ＩＣカードの活性化、暗証番号ＰＩＮの照合に続いて、認証情報の照合、すなわちＩＣカードがぬかれる前に、図３において保存されたカードＩＤとの照合が行なわれ、照合結果がＯＫであれば、画面ロックが解除される。
【００２４】
図５は、図３および図４で説明したログオン処理から画面ロック状態、それに続くロック解除の動作についての更に詳細な説明図である。ここではＩＣカードを用いてログオンが行なわれる場合について、その動作を説明する。
【００２５】
まず２０でＩＣカードと暗証番号を用いてログオン処理が行なわれると、デスクトップが表示され、計算機や端末の実質的利用が可能となる。計算機のロック、すなわち画面ロックを行なうためには、２１でＩＣカードをぬくか、２２でコントロール、オルト、およびデリートのキーを同時に押すか、２３でスクリーンセーバを起動するかのいずれかの方法を使用することができる。
【００２６】
いずれの方法を用いてロックさせた場合にも、ここでは２４でＩＣカードと暗証番号を用いるか、２５で（ユーザ）ＩＤとパスワードを用いるかのいずれかの方法によってロック解除が可能となり、その後デスクトップが表示された後に画面ロックを再び行なうためには、前述のように２１、２２、または２３のいずれかの方法を用いることができる。
【００２７】
図６は本発明の実施形態における基本画面表示の説明図である。ＩＣカードがぬかれると、図６においてまず左側のロック画面が表示される。これを以後、ロック画面Ａと呼ぶことにする。このロック画面Ａには、コンピュータがロックしていることと同時に、ＯＫボタンと、シャットダウンボタンとが表示されている。このうちＯＫボタンは、本実施形態においてＩＣカードがぬかれたことに対応してロックを解除するためのボタンであり、従来から一般的に用いられているものである。
【００２８】
これに対してシャットダウンボタンは、ロック画面Ａが表示されてから一定時間、例えば１０秒間だけ表示されるものであり、このボタンの表示が消えるまでの時間も同時に表示される。そして利用者がこのボタンが消えるまでにこのボタンを押し下げることによって、右に示すシャットダウン（選択）画面への画面表示状態遷移が行なわれる。
【００２９】
これに対して例えば１０秒以内に利用者がシャットダウンボタンを押し下げない場合には、ロック画面Ａからシャットダウンボタンが消え、画面が下の画面、すなわちシャットダウンボタンを含まないロック画面Ｂに遷移する。なお本実施形態では、図５で説明したロック状態への遷移のための動作としての、２１ＩＣカードをぬく、２２コントロール、オルト、およびデリートキーを同時に押す、および２３スクリーンセーバ起動の３つの動作のうち、ＩＣカードをぬくという２１の動作とコントロール、オルト、およびデリートキーを同時に押すという２２の動作に対してのみ、図６の画面表示の状態遷移が可能になるものとする。
【００３０】
次に本実施形態における処理について、図７〜図１１のフローチャートを用いて更に詳細に説明する。図７は本実施形態における全体処理としての、ＩＣカード状態監視処理のフローチャートである。同図において、まずステップＳ１でＩＣカードがぬかれたか否かが判定され、ぬかれていない場合にはその判定処理が繰返される。ぬかれたと判定された時には、ステップＳ２で図８で説明するロック画面の表示処理が起動され、処理を終了する。
【００３１】
図８はロック画面の表示処理のフローチャートである。同図において、まずステップＳ５で初期表示がＴｒｕｅであるか否か、すなわちロック画面の表示開始時点であるか否かが判定され、判定結果がＹＥＳである時には、ステップＳ６でカウンタの値が１０（秒）とされ、ステップＳ７で１秒周期でロック画面の表示処理が起動するような設定が行なわれ、ステップＳ８で初期表示がＦａｌｓｅとされ、ステップＳ９でロック画面Ａの表示処理が行なわれて、処理を終了する。ここでロック画面Ａとは、図６で説明した左側の画面である。
【００３２】
図９はロック画面Ａの表示処理のフローチャートである。同図において、まずステップＳ１０でロック画面Ａが表示され、ステップＳ１１でロック画面Ａ上においてＯＫボタンが押し下げられたか否かが判定され、押し下げられた場合にはステップＳ１２でロック画面を解除するための利用者照合画面が表示されて、処理を終了する。
【００３３】
これに対してＯＫボタンが押し下げられていない場合には、ステップＳ１３でシャットダウンボタンが押し下げられたか否かが判定され、押し下げられた時にはステップＳ１４でシャットダウン選択画面、すなわち図６の右上の画面が表示されて処理を終了し、シャットダウンボタンも押し下げられていない場合には、ステップＳ１１以降の処理が繰返される。
【００３４】
図９においてＯＫボタンも、またシャットダウンボタンも押し下げられていないうちに、図８において１秒周期でのロック画面の表示処理が起動されると、ステップＳ５で初期表示がＴｒｕｅでないと判定され、ステップＳ１６でカウンタの値が２（秒）以上であるか否かが判定され、２（秒）以上である場合にはステップＳ１７でカウンタの値がデクリメントされ、ステップＳ１８でカウンタの再描画、すなわち図６の左側の画面で“シャットダウンが消えるまであとｔ秒”のｔの値がデクリメントされて表示され、処理を終了する。
【００３５】
これに対してステップＳ１６でカウンタの値が２（秒）以上でない、すなわち１（秒）になっていたと判定されると、ステップＳ１９でロック画面表示処理が起動されないように設定が行なわれ、ステップＳ２０でロック画面Ｂの表示処理が行なわれて、処理を終了する。
【００３６】
図１０はロック画面Ｂ表示処理のフローチャートである。この処理ではロック画面Ｂ、すなわち図６で説明した下の画面がステップＳ２１で表示され、ステップＳ２２でＯＫボタンが押し下げられたか否かが判定され、押し下げられた場合にはステップＳ２３で図９のステップＳ１２におけると同様に、照合画面の表示処理が行なわれて処理を終了し、ＯＫボタンが押し下げられていない場合には、ステップＳ２２以降の処理が繰返される。
【００３７】
図１１は、シャットダウン選択画面表示処理のフローチャートである。同図において、ステップＳ２４で図６の右上のシャットダウン選択画面が表示され、その画面上においてキャンセルボタンが押し下げられたか否かがステップＳ２５で判定され、押し下げられていない場合にはその判定が繰返され、押し下げられた場合にはステップＳ２６でロック画面Ａの表示処理が行なわれて処理を終了する。なお、ここではロック画面Ａ自体は、シャットダウン選択図面と別のウインドウに表示されており、前述のｔの値が２以上であれば、図８のステップＳ１６〜Ｓ１８の処理によってカウンタの再描画が行なわれる。
【００３８】
このキャンセルボタンの押下に伴うロック画面Ａの表示処理は、利用者がシャットダウンを中止し、ロック画面に戻るか、ロックを解除して再びパソコンなどを利用する場合に行なわれることになるが、図８で説明したように、ロック画面Ａが表示開始されてから１０秒間は再びシャットダウン選択画面を表示することも可能である。しかしながら１０秒以上経過していれば、図６の下の画面、すなわちロック画面ＢにおいてＯＫボタンしか表示されていない状態となり、この状態ではロック解除処理への移行のみが可能である。
【００３９】
本実施形態における画面表示例について、図１２〜図１５を用いて更に詳細に説明する。図１２は、前述のロック画面Ａからロック画面Ｂへの表示状態の遷移を示し、ロック画面Ａ（１））上でＯＫボタンが押されるか、シャットダウンボタンが押されない状態で１０秒以上経過した場合には、ロック画面Ｂ（２））が表示されることを示している。
【００４０】
図１３は、図１２の上の１）の画面でシャットダウンボタンが押し下げられた場合に表示される、シャットダウン選択画面の表示例を示し、初期表示状態ではシャットダウンボタンがフォーカスされていることと、キャンセルボタンが押された場合には１）の表示状態に移ることが示されている。なお前述のように１）の画面が表示されてから１０秒以上経過している場合には、２）の画面が表示されることになる。
【００４１】
図１４は、図１２の１）、または２）、すなわちロック画面Ａ、またはＢでＯＫボタンが押された時に表示される利用者照合画面の例を示し、キャンセルボタンが押された時には２）、すなわちロック画面Ｂへの移行が行なわれること、ＩＣカード読み取り装置が未接続である時、挿入されたカードが利用できない時、登録情報が異常である時、暗証番号が空である時などには、再びＩＣカードの挿入と暗証番号の入力を促す３）の画面を表示するためのＯＫボタンが表示され、その他の正常な場合には図１５に示す４）の画面への遷移が行なわれる。
【００４２】
以上において本発明の状態遷移決定プログラムについてその詳細を説明したが、このプログラムを用いる計算機は当然一般的なコンピュータシステムとして構成することが可能である。図１５はそのようなコンピュータシステム、すなわちハードウエア環境の構成ブロック図である。
【００４３】
図１５においてコンピュータシステムは中央処理装置（ＣＰＵ）３０、リードオンリメモリ（ＲＯＭ）３１、ランダムアクセスメモリ（ＲＡＭ）３２、通信インタフェース３３、記憶装置３４、入出力装置３５、可搬型記憶媒体の読み取り装置３６、およびこれらの全てが接続されたバス３７によって構成されている。
【００４４】
記憶装置３４としてはハードディスク、磁気ディスクなど様々な形式の記憶装置を使用することができ、このような記憶装置３４、またはＲＯＭ３１に図７〜図１１などのフローチャートに示されたプログラムや、本発明の特許請求の範囲の請求項１〜３のプログラムなどが格納され、そのようなプログラムがＣＰＵ３０によって実行されることにより、本実施形態における認証デバイス排出後の画面表示の状態遷移が可能となる。
【００４５】
このようなプログラムは、プログラム提供者３８側から、ネットワーク３９、および通信インタフェース３３を介して、例えば記憶装置３４に格納されることも可能とする。
【００４６】
【発明の効果】
以上詳細に説明したように、本発明によれば計算機や端末から認証デバイス、例えばＩＣカードがぬかれ、計算機や端末がロック状態となった後に、簡単にシャットダウン処理に移行することが可能となり、計算機や端末の操作性向上に寄与するところが大きい。
【図面の簡単な説明】
【図１】本発明の状態遷移決定プログラムの原理的な機能ブロック図である。
【図２】本発明の状態遷移決定プログラムが用いられる計算機システムの構成例を示すブロック図である。
【図３】図２のシステムにおけるＩＣカード挿入からログオン認証処理までの動作の説明図である。
【図４】図２のシステムにおけるＩＣカード排出後の動作の説明図である。
【図５】ＩＣカードでログオンした場合のロック動作とロック解除動作の説明図である。
【図６】本実施形態における表示画面の基本的な状態遷移の説明図である。
【図７】ＩＣカード状態監視処理のフローチャートである。
【図８】ロック画面の表示処理のフローチャートである。
【図９】ロック画面Ａの表示処理のフローチャートである。
【図１０】ロック画面Ｂの表示処理のフローチャートである。
【図１１】シャットダウン選択画面の表示処理のフローチャートである。
【図１２】ロック画面Ａからロック画面Ｂへの表示状態遷移の説明図である。
【図１３】シャットダウン選択画面の表示例の説明図である。
【図１４】利用者照合画面の表示例の説明図である。
【図１５】本実施形態におけるプログラムのコンピュータへのローディングを説明する図である。
【符号の説明】
１０        クライアントＰＣ
１０ａ      オペレーティングシステム
１０ｂ      ＩＣカード／ログオン認証部
１１        ＩＣカード
１２        認証サーバ
１２ａ      オペレーティングシステム
１２ｂ      ハードディスク
１２ｃ      認証部
１３        ドメインコントローラ
３０        中央処理装置（ＣＰＵ）
３１        リードオンリーメモリ（ＲＯＭ）
３２        ランダムアクセスメモリ（ＲＡＭ）
３３        通信インタフェース
３４        記憶装置
３５        入力出力装置
３６        読み取り装置
３７        バス
３８        プログラム提供者
３９        ネットワーク
４０        可搬型記憶媒体
【図１】
2005004389.tif 000003
【図２】
2005004389.tif 000004
【図３】
2005004389.tif 000005
【図４】
2005004389.tif 000006
【図５】
2005004389.tif 000007
【図６】
2005004389.tif 000008
【図７】
2005004389.tif 000009
【図８】
2005004389.tif 000010
【図９】
2005004389.tif 000011
【図１０】
2005004389.tif 000012
【図１１】
2005004389.tif 000013
【図１２】
2005004389.tif 000014
【図１３】
2005004389.tif 000015
【図１４】
2005004389.tif 000016
【図１５】
2005004389.tif 000017